(57)【特許請求の範囲】
【請求項１】
交差型ピンセットと、この交差型ピンセットの両先端に、それぞれ一端が固定されることで、外側へハの字に取付けられた一対の板材と、を有し、この両板材の上から前記交差型ピンセットの閉じた先端に、リボンのゴムを巻き付けた状態で、各前記板材と前記交差型ピンセットの間に指が入る隙間または弾性を、各前記板材が有することを特長とするリボン取付用交差型ピンセット。
【請求項２】
ペットである動物の毛にリボンを取付ける方法において、請求項１のリボン取付用交差型ピンセットの閉じた先端に、この先端に取付けられた両板材の上から、リボンのゴムを巻き付ける第１工程と、前記リボン取付用交差型ピンセットをつまんで先端を開く第２工程と、開いた前記リボン付用交差型ピンセットの先端に、前記毛の房を挿入する第３工程と、前記リボン取付用交差型ピンセットを閉じる第４工程と、前記両板材を内側から押して開くことで、前記両板材に押されて前記ゴムが前記両板材から離れ、前記リボンを前記毛の房へ取付けを完了する第５工程と、を有することを特長とするリボン取付方法。
【発明の詳細な説明】
【技術分野】
【０００１】
この発明は、ペットである動物の毛にリボンを取付けるためのリボン取付用交差型ピンセット及びリボン取付方法に関する。
【背景技術】
【０００２】
ペットである動物たとえば犬のトリミング（美容）では、トリミング最終作業で犬の耳の毛にリボンを付けることが多い。しかし、犬もその時の機嫌の具合などでリボンを嫌がって付けさせてくれない事もしばしばである。また、トリマーが男性の場合は指も大きく、女性のようにリボンに不慣れな者はうまく付ける事ができない。初心者のトリマーや素人の方の場合には、なおさら、うまく付ける事ができない。
【０００３】
下記特許文献１には、交差型ピンセットを真珠加工に使用するものが記載される。また下記特許文献２には、交差型ピンセットを手術に使用するものが記載される。
【先行技術文献】
【特許文献】
【０００４】
【特許文献１】米国特許抄録６３５２２９３
【特許文献２】米国特許抄録５２１７４６４
【発明の概要】
【発明が解決しようとする課題】
【０００５】
この発明は、以上の問題点を解決するために、交差型ピンセットを改良し、ペットである動物の毛にリボンを容易に付けることができるリボン取付用交差型ピンセット及びリボン取付方法を提供することを目的とする。
【課題を解決するための手段】
【０００６】
以上の課題を解決するために、第一発明は、交差型ピンセットと、この交差型ピンセットの両先端に、それぞれ一端が固定されることで、外側へハの字に取付けられた一対の板材と、を有し、この両板材の上から前記交差型ピンセットの閉じた先端に、リボンのゴムを巻き付けた状態で、各前記板材と前記交差型ピンセットの間に指が入る隙間または弾性を、各前記板材が有することを特長とするリボン取付用交差型ピンセットである。
【０００７】
第二発明は、ペットである動物の毛にリボンを取付ける方法において、請求項１のリボン取付用交差型ピンセットの閉じた先端に、この先端に取付けられた両板材の上から、リボンのゴムを巻き付ける第１工程と、前記リボン取付用交差型ピンセットをつまんで先端を開く第２工程と、開いた前記リボン付用交差型ピンセットの先端に、前記毛の房を挿入する第３工程と、前記リボン取付用交差型ピンセットを閉じる第４工程と、前記両板材を内側から押して開くことで、前記両板材に押されて前記ゴムが前記両板材から離れ、前記リボンを前記毛の房へ取付けを完了する第５工程と、を有することを特長とするリボン取付方法である。
【発明の効果】
【０００８】
第一、又は第二発明によれば、リボン取付用交差型ピンセットの閉じた先端に、この先端に取付けられた両板材の上から、リボンのゴムを巻き付けた後に、リボン取付用交差型ピンセットをつまんで先端を開き、この開いた先端に、ペットの毛の房を挿入し、先端を閉じる。そして、両板材を内側から指で押して開くことで、両板材に押されてリボンのゴムが両板材から離れ、これにより、リボンを毛の房へ取付けを容易に行える。
【図面の簡単な説明】
【０００９】
【図１】この発明の一実施形態に係るリボン取付用交差型ピンセットを示すもので、（Ａ）は全体斜視図、（Ｂ）はつまんで先端を開いた状態を示す図、（Ｃ）は閉じた先端に、両板材の上から、リボンのゴムを巻き付けた状態を示す図である。
【００１０】
【図２】この発明の一実施形態に係るリボン取付方法の工程を示すもので、（Ａ）はペットの動物である犬のリボンを取付ける前の全体斜視図、（Ｂ）は犬の毛の房をセットペーパーに織り込んでいる状態を示す図、（Ｂ２）は織り込んだ状態図、（Ｃ）はリボン取付用交差型ピンセットの閉じた先端に、両板材の上から、リボンのゴムを巻き付けた状態を示す図、（Ｄ）はリボン取付用交差型ピンセットをつまんで先端を開き、その開いた先端に、毛の房を織り込んだセットペーパーを挿入した状態を示す図、（Ｅ）はリボン取付用交差型ピンセットを閉じ、両板材を内側から押して開いている状態を示す図、（Ｆ）は両板材から押されたリボンのゴムが離れた状態を示す図、（Ｇ）リボンが取付けられた状態を示す図、（Ｈ）リボンが取付けられた犬の全体斜視図である。
【発明を実施するための形態】
【００１１】
この発明の実施形態を、図１、図２に示す。
図１（Ａ）に示すように、この実施形態に使用される交差型ピンセット１は、本体３を構成する２枚の腕部５が、先端近くで交差しており、これにより本体３をつまむことで、通常のピンセットとは逆に、先端７が開く（図１（Ｂ）参照）交差型である。そして、交差部９から先端７までの寸法が、全体に比して小さく、つまんだ力がロスなく先端７を開く力になりやすい。
【００１２】
この交差型ピンセット１の両先端に、一対の板材１１が、外側へハの字に取付けられる。各板材１１の一端は、略コの字型に屈曲し、交差型ピンセット１の二つあるうちの一つの先端７を、外側から内側に巻くように接着し取付けられる。
板材１１は、薄いステンレスの金属製で、弾性を有する。このため、両板材１１を押さえて交差型ピンセット１の上に寝かせ、その上から、交差型ピンセット１の閉じた先端７に、リボン１３のゴム１５を巻き付けることが、容易に行える。
【００１３】
板材１１の本体部分は直線的である。このため、寝かせた両板材１１と、本体３が曲線的である交差型ピンセット１との間に、指が入る隙間１７を有する。
よって図１（Ｃ）に示すように、両板材１１の上から交差型ピンセット１の閉じた先端７に、リボン１３のゴム１５を巻き付けた状態で、板材１１と交差型ピンセット１の間に指が入る隙間１７を有する。
【００１４】
図２に、この発明の一実施形態に係るリボン取付方法の工程を示す。
同図（Ａ）に示すように、ペットの動物である犬１９がトリミング（美容）を終わり、リボン１３を取付ける準備ができる。そして、同図（Ｂ）に示すように、その犬１９の耳２１の近くの毛２３を房２５をにして、セットペーパー２７に包み込み、同図（Ｂ２）に示すように、セットペーパー２７を縦に３回ほど短く織り込む。
【００１５】
予め、同図（Ｃ）に示すように、リボン取付用交差型ピンセットの閉じた先端７に、両板材１１の上から、リボン１３のゴム１５を３回巻き付けたものを用意しておく。そして、同図（Ｄ）に示すように、前記（Ｃ）のリボン取付用交差型ピンセットを指２９つまんで先端７を開き、その開いた先端７に、毛２３の房２５を織り込んだセットペーパー２７を挿入し、閉じる（同図（Ｅ））。
【００１６】
次に、同図（Ｅ）に示すように、リボン取付用交差型ピンセットの両板材１１を内側から親指２９ａと人差指２９ｂで押して開く。すると、同図（Ｆ）に示すように、両板材１１から押されたリボン１３のゴム１５が、ゴム１５自身の弾性や板材１１の弾性により、勢いよく両板材１１から離れる。これにより、同図（Ｇ）に示すように、犬１９の耳２１の近くの毛２３にリボン１３が取付けられる。同様に反対側の耳２１にもリボン１３を取付けると、同図（Ｈ）のように、リボン１３の取付けが完成する。
【００１７】
「実施形態の効果」
この実施形態によれば、以上説明したように、リボン取付用交差型ピンセットの閉じた先端７に、この先端７に設けられた両板材１１の上から、リボン１３のゴム１５を巻き付けた後に、リボン取付用交差型ピンセットをつまんで先端７を開き、この開いた先端７に、ペットの毛２３を折り込んだセットペーパー２７を挿入し、先端７を閉じる。
【００１８】
仮に通常のピンセットであると、ゴム１５を巻き付けたピンセットを開いた状態に維持するのは難しい。しかし、交差型ピンセット１はつまむだけで、開いた状態を簡単に維持でき、取付け作業が容易である。
また、仮に板材１１がないと、ゴム１５が交差型ピンセット１の閉じた先端７に巻き付いたままであり、ゴム１５を先端７から離すことができにくい。
その原因は、ペットの毛２３を折り込んだセットペーパー２７は、交差型ピンセット１の閉じた先端７に押しつぶされており、このため、ゴム１５が接するのは交差型ピンセット１の閉じた先端７だけであり、セットペーパー２７にはほとんど接触していない。そのため、交差型ピンセット１を後退させても、ゴム１５は、セットペーパー２７に接触して残ることはなく、交差型ピンセット１とともに後退してしまうからである。
しかし、両板材１１を内側から指で押して開くことで、両板材１１に押されてリボン１３のゴム１５が両板材１１から、ゴム１５自身の弾性や板材１１の弾性により勢いよく、離れ、これにより、リボン１３を毛２３の房２５へ取付けが容易に行える。
【００１９】
「他の実施形態」
以上の実施形態では、板材１１が直線的でしかも弾性を有したので、ゴム１５を巻き付けた状態で、板材１１と曲線的な形状の交差型ピンセット１の間に指が入る隙間１７を予め有する。あるいは、この予め有する隙間１７の大きさが十分でなくても、弾性により板材１１を押し広げることで、指が入る隙間１７をあらためて形成することができる。
【００２０】
しかし他の実施形態では、板材１１は直線的であるため始めから指が入る隙間１７を十分に有し、弾性が少ないものでもよい。あるいは、隙間１７を有するための形状はほとんど有さないものの、弾性だけを有することで板材１１を押し広げて指が入る隙間１７を形成するものでもよい。
以上の実施形態では、毛２３を房２５をセットペーパー２７に短く織り込むものであったが、他の実施形態では、セットペーパー２７を使用せずに、毛２３に直接にリボンを取付けるものであっても構わない。
【００２１】
以上の実施形態では、板材１１はステンレス製であったが、他の実施形態では、他の金属製や、プラスチック製でもよい。
以上の実施形態では、板材１１は接着剤で取付けたが、他の実施形態では、他の取付け方法、例えば、ネジ式の取付でも構わない。
以上の実施形態では、犬１９の毛２３をセットペーパー２７に包み込んだ上から、直ちに、リボン取付用交差型ピンセットによりリボン１３の輪ゴム１５を取付けることで、リボン１３が取付けられるものであった。しかし、他の実施形態では、毛２３をセットペーパー２７に包み込んだ状態を安定して維持するために、先に別の輪ゴムのみをセットペーパー２７に取り付け、その後で、リボン取付用交差型ピンセットによりリボン１３の輪ゴム１５を取付けることで、リボン１３が取付けられるものとしてもよい。
【符号の説明】
【００２２】
１…交差型ピンセット、３…本体、５…腕部、７…先端、９…交差部、１１…板材、１３…リボン、１５…ゴム、１７…隙間、１９…犬、２１…耳、２３…毛、２５…房、２７…セットペーパー、２９・・指。
【要約】
【課題】交差型ピンセットを改良し、ペットである動物の毛にリボンを容易に付けることができるリボン取付用交差型ピンセット及びリボン取付方法を提供する。
【解決手段】交差型ピンセット１の両先端に、一対の板材１１のそれぞれ一端を固定し、外側へハの字に取付ける。このリボン取付用交差型ピンセットの閉じた先端７に、両板材１１の上から、リボン１３のゴム１５を巻き付けた後に、リボン取付用交差型ピンセットをつまんで先端７を開き、この開いた先端７に、ペットの毛２３の房２５を挿入し、先端７を閉じる。そして、両板材１１を内側から指で押して開くことで、両板材１１に押されてリボン１３のゴム１５が両板材１１から離れ、これにより、リボン１３を毛２３の房２５へ取付けを容易に行える。
【選択図】図１【図１】
0004723046.tif 000002
【図２】
0004723046.tif 000003